(57)【要約】【課題】動きが停止した後も、フィッシュイーターにアピールするルアーの提供。【解決手段】本発明に係るルアー２は、内部に空洞１８を備えるボディ４と、この空洞１８内においてこのボディ４に可動に取り付けられ外部からの光を受けて光を放つ揺動部１０とを備える。ボディ４は、揺動部１０からの光が外部から視認できるようになっている。揺動部１０は、このルアー２が動作状態から停止状態となった後も動きうる。好ましくは、このルアー２はバネ１２をさらに備えており、このバネ１２を介して揺動部１０が上記ボディ４に取り付けられている。【選択図】図２
2019187246.tif 000002
【特許請求の範囲】
【請求項１】
内部に空洞を備えるボディと、この空洞内においてこのボディに可動に取り付けられ外部からの光を受けて光を放つ揺動部とを備え、
上記ボディが、上記揺動部からの光が外部から視認できるようになっており、
上記揺動部が、このルアーが動作状態から停止状態となった後も動きうるルアー。
【請求項２】
上記揺動部が反射体である請求項１に記載のルアー。
【請求項３】
上記揺動部が蛍光体である請求項１に記載のルアー。
【請求項４】
上記揺動部が板状を呈しており、
上記揺動部が、このルアーの前後方向に延びている請求項１から３のいずれかに記載のルアー。
【請求項５】
バネをさらに備えており、
このバネを介して上記揺動部が上記ボディに取り付けられている請求項１から４のいずれかに記載のルアー。
【請求項６】
上記バネが上記ボディに吊り下げられており、このバネの下側の端に上記揺動部が吊り下げられている請求項５に記載のルアー。
【請求項７】
上記バネが前後方向に延びこのバネの両端が上記ボディに固定されており、上記揺動部がこのバネに吊り下げられている請求項５に記載のルアー。
【請求項８】
上記空洞内に延びる吊り棒をさらに備えており、
上記揺動部を上記吊り棒に吊すことで、上記揺動部が上記ボディに取り付けられている請求項１請求項１から４のいずれかに記載のルアー。
【請求項９】
上記吊り棒の、上記揺動部との接触部分がナイフエッジ状である請求項８に記載のルアー。
【請求項１０】
上記吊り棒が、前後方向に延びており、
上記揺動部には、その延在方向に貫通する取付孔が設けられており、
上記取付孔の上面が、下向きに突出した頂部を有しており、
上記吊り棒を上記取付孔に通すことで、上記揺動部が上記ボディに取り付けられている請求項８に記載のルアー。
【請求項１１】
上記ボディに取り付けられこのボディに対し揺れ動きうる吊り具をさらに備えており、上記揺動部がこの吊り具に吊されている請求項１から４のいずれかに記載のルアー。
【請求項１２】
磁石をさらに備えており、この磁石を介して上記揺動部が上記ボディに取り付けられている請求項１から４のいずれかに記載のルアー。
【請求項１３】
上記揺動部のボディに対する動きが、振動である請求項１から１２のいずれかに記載のルアー。
【請求項１４】
上記空洞内が、大気圧と比べて減圧されている請求項１から１３のいずれかに記載のルアー。
【発明の詳細な説明】
【技術分野】
【０００１】
本発明は、釣りに用いられるルアーに関する。
【背景技術】
【０００２】
オオクチバス、ブリ及びその幼魚、スズキ等の大型の魚は、小魚を補食する。これら大型の魚は、フィッシュイーターと称されている。フィッシュイーターを捕獲する手段として、ルアーフィッシングが普及している。ルアーフィッシングでは、小魚等のベイトに疑似されたルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。フィッシュイーターがルアーに食いつく頻度は、ヒット率と称される。
【０００３】
ヒット率を上げるため、ルアーには様々な工夫がされている。例えば、ルアーに光沢のある塗装がなされる。このルアーでは、ルアーが動いたときに、光の反射の状態が変化してフィッシュイーターにアピールする。別のルアーは、ボディ内の空間にラトルボールを有する。ルアーが動いたときにこのボールが転動して音を出し、フィッシュイーターにアピールする。ルアーを引いたときに、振動しながら泳ぐルアーも知られている。種々のルアーが、株式会社シマノ発行の「２０１７シマノフィッシングタックルカタログ」に開示されている。
【先行技術文献】
【非特許文献】
【０００４】
【非特許文献１】株式会社シマノ発行の「２０１７シマノフィッシングタックルカタログ」
【発明の概要】
【発明が解決しようとする課題】
【０００５】
ルアーフィッシングでは、釣り人は、ルアーをキャストした後、ラインを引く動作とこの引きを止める動作とを繰り返す。ルアーの引きを止めたとき、止水域や潮流及び波が少ない海域等の、水の動きがほとんどない場所では、ルアーの動きはほぼ停止する。ヒット率を上げるため、このルアーの動きが停止した後も、フィッシュイーターにアピールするルアーが求められている。
【０００６】
本発明の目的は、ルアーの動きが停止した後も、フィッシュイーターにアピールするルアーの提供にある。
【課題を解決するための手段】
【０００７】
本発明に係るルアーは、内部に空洞を備えるボディと、この空洞内においてこのボディに可動に取り付けられ外部からの光を受けて光を放つ揺動部とを備えている。上記ボディは、上記揺動部からの光が外部から視認できるようになっている。上記揺動部は、このルアーが動作状態から停止状態となった後も動きうる。
【０００８】
好ましくは、上記揺動部は反射体である。上記揺動部が蛍光体であってもよい。
【０００９】
好ましくは、上記揺動部が板状を呈しており、この揺動部が、このルアーの前後方向に延びている。
【００１０】
好ましくは、このルアーはバネをさらに備えており、このバネを介して上記揺動部が上記ボディに取り付けられている。このとき、好ましくは、上記バネは上記ボディに吊り下げられており、このバネの下側の端に上記揺動部が吊り下げられている。上記バネが前後方向に延びこのバネの両端が上記ボディに固定されており、上記揺動部がこのバネに吊り下げられていてもよい。
【００１１】
このルアーが上記空洞内に延びる吊り棒をさらに備えており、上記揺動部を上記吊り棒に吊すことで、上記揺動部が上記ボディに取り付けられていてもよい。
【００１２】
好ましくは、上記吊り棒の、上記揺動部との接触部分は、ナイフエッジ状である。
【００１３】
上記吊り棒が前後方向に延びており、上記揺動部にはその延在方向に貫通する取付孔が設けられており、上記取付孔の上面が下向きに突出した頂部を有しており、上記吊り棒を上記取付孔に通すことで、上記揺動部が上記ボディに取り付けられていてもよい。
【００１４】
このルアーが、上記ボディに取り付けられこのボディに対し揺れ動きうる吊り具をさらに備えており、上記揺動部がこの吊り具に吊されていてもよい。
【００１５】
このルアーが、磁石をさらに備えており、この磁石を介して上記揺動部が上記ボディに取り付けられていてもよい。
【００１６】
好ましくは、上記揺動部のボディに対する動きは、振動である。
【００１７】
好ましくは、上記空洞内は、大気圧と比べて減圧されている。
【発明の効果】
【００１８】
本発明に係るルアーは、ボディの空洞内に可動に取り付けられた、外部からの光を受けて光を放つ揺動部を備える。この揺動部からの光は、外部から視認できる。この揺動部は、このルアーが動作状態から停止状態となった後もしばらく動きうる。揺動部からの光の見え方は、このルアーが停止状態となった後も、変化する。このルアーでは、ルアーの動きが停止した後も、フィッシュイーターにアピールしうる。
【図面の簡単な説明】
【００１９】
【図１】図１は、本発明の一実施形態に係るルアーが示された側面図である。
【図２】図２は、図１のルアーを左右の部分に分割したときの右側部分が示された分解図である。
【図３】図３は、図２の一部が拡大された図である。
【図４】図４は、図３のIV−IV線に沿った断面図である。
【図５】図５は、本発明の他の実施形態に係るルアーを左右の部分に分割したときの右側部分が示された分解図である。
【図６】図６は、本発明のさらに他の実施形態に係るルアーを左右の部分に分割したときの右側部分が示された分解図である。
【図７】図７は、本発明のさらに他の実施形態に係るルアーの一部が示された斜視図である。
【図８】図８は、図７のVIII−VIII線に沿った断面斜視図である。
【図９】図９は、本発明のさらに他の実施形態に係るルアーの一部が示された斜視図である。
【図１０】図１０は、本発明のさらに他の実施形態に係るルアーの一部が示された斜視図である。
【図１１】図１１は、本発明のさらに他の実施形態に係るルアーの一部が示された側面図である。
【発明を実施するための形態】
【００２０】
以下、適宜図面が参照されつつ、好ましい実施形態に基づいて本発明が詳細に説明される。
【００２１】
［第一の実施形態］
【００２２】
図１は、本発明の一実施形態に係るルアー２が示された側面図である。図１において、矢印Ｘが示す方向がこのルアー２の前方であり、その反対がルアー２の後方である。矢印Ｚが示す方向がこのルアー２の上方であり、その反対がルアー２の下方である。紙面と垂直な方向がこのルアー２の左右方向である。図２は、図１のルアー２を左右の部分に分割したときの右側部分が示された分解図である。この図は、ルアー２の左半分を取り外した図である。この図ではルアー２の内部構造が見えている。図３は、図２の前方の部分が拡大された図である。図３では、分かり易いように、ルアー２の左半分を取り付けたときこの左半分と接触する部分には、ハッチがかけられている。図４は、図３のIV−IV線に沿った断面図である。
【００２３】
図１−４に示されるように、このルアー２は、ボディ４、リップ６、吊り棒８、揺動部１０及びバネ１２を備えている。
【００２４】
ボディ４は、ベイトである小魚に類似の外形を有する。ボディ４は、硬質な材料から形成されている。典型的には、ボディ４は、合成樹脂組成物から形成されている。ボディ４が、エラストマーのような軟質な材料から形成されてもよい。ボディ４は、ヘッド１４及びテール１６を備える。図２−４に示されるように、ボディ４は、内部に空洞１８を備える。このボディ４は、この空洞１８に光を通す程度に透明性を有する。このボディ４では、この内部からの光が外部から視認できる。
【００２５】
この実施形態では、空洞１８内の気圧は、大気圧と同等である。空洞１８内の気圧が、通常の大気圧と比べて減圧されていてもよい。このとき、空洞１８内の気圧は、大気圧より低い。この空洞１８内は真空である。このルアー２では、この減圧状態を保つために、ボディ４の右側半分と左側半分とは、溶着または接着される。ボディ４の右側半分と左側半分との接触部分が、ラバーでシールされていてもよい。
【００２６】
リップ６は、硬質な材料から形成されている。典型的には、リップ６は、合成樹脂組成物から形成されている。図１−３に示される通り、リップ６は、ボディ４の下側に取り付けられている。リップ６は、ヘッド１４の下方に位置している。リップ６は、ルアー２が泳ぐときの適切な水中姿勢に寄与する。
【００２７】
吊り棒８は、ボディ４の空洞１８の中に位置する。図２及び３に示されるとおり、吊り棒８は、この空洞１８の上面に沿って、前後方向に延びている。吊り棒８は、棒状である。吊り棒８は、その前端と後端とが、ボディ４に固定されている。吊り棒８は、典型的には合成樹脂組成物から形成されている。
【００２８】
図２−４に示されるように、揺動部１０は、空洞１８の内部に位置する。図２に示されるように、複数の揺動部１０が、前後方向に並んでいる。この実施形態では、４個の揺動部１０が、空洞１８内に位置している。図３及び４で示されるように、揺動部１０は板状である。揺動部１０は、前後方向に延びている。揺動部１０は、その延在方向（幅方向）が前後方向となるように、取り付けられている。
【００２９】
揺動部１０は、外部からの光を受けて光を放つ。この実施形態では、揺動部１０は、反射体である。すなわち、揺動部１０の表面は光を反射する。揺動部１０の表面は、光沢を有する。揺動部１０の表面に、着色や模様が施されてもよい。揺動部１０は、典型的には合成樹脂組成物から形成されている。揺動部１０が金属から形成されていてもよい。典型的な揺動部１０として、ホロプレートが例示される。揺動部１０が、蛍光体であってもよい。
【００３０】
図３に示されるように、それぞれの揺動部１０は上辺に切り欠き２０を備える。切り欠き２０は、揺動部１０の幅方向の中央に位置している。揺動部１０は、この切り欠き２０の下に取付孔２２をさらに備える。
【００３１】
バネ１２は、揺動部１０の切り欠き２０の内部に位置している。バネ１２の上端は、吊り棒８に掛けられている。バネ１２は、吊り棒８を介して、ボディ４に吊り下げられている。バネ１２の下端は、揺動部１０の取付孔２２に掛けられている。バネ１２の下端に、揺動部１０が吊り下げられている。揺動部１０は、バネ１２により吊り棒８に掛けられている。揺動部１０は、このバネ１２により、ボディ４に対して振動しうる。揺動部１０は、このバネ１２により前後上下左右に揺れ動くことができる。揺動部１０は、このバネ１２によりボディ４に対して可動となっている。揺動部１０は、吊り棒８とバネ１２とを介して、ボディ４に可動に取り付けられている。
【００３２】
このルアー２は、吊り棒８を備えなくてもよい。バネ１２の上端が、直接ボディ４の空洞１８の上面に接続されてもよい。揺動部１０が、バネ１２を介してボディ４に可動に取り付けられていればよい。
【００３３】
このルアー２では、バネ１２の数は１に限られない。揺動部１０が、２個以上のバネにより、ボディ４に取り付けられていてもよい。
【００３４】
図示されないが、このルアー２は、ラインアイ、フックアイ及びフックをさらに備えている。ラインアイは、ラインを通す孔を形成する。ラインアイは、金属線が曲げられて形成されている。ラインアイは、ボディ４に堅固に固定されている。フックアイは、フックを取り付けるための孔を形成する。フックアイは、金属線が曲げられて形成されている。フックアイは、ボディ４に堅固に固定されている。フックは、フックアイに掛けられている。フックは、フックアイに可動に取り付けられている。
【００３５】
図示されないが、このルアー２は、錘をさらに備えている。錘は、空洞１８内に位置する。錘は、空洞１８内で、ボディ４に固定されている。錘は、ルアー２を泳がせたときの、ルアー２の姿勢を整える。
【００３６】
以下、本発明の作用効果が説明される。
【００３７】
本発明に係るルアー２は、ボディ４の空洞１８内に、外部からの光を受けて光を放つ揺動部１０を備える。この揺動部１０は、反射体である。揺動部１０の表面は、光を反射する。ボディ４は、空洞１８内に光を通す程度に透明性を有する。揺動部１０が反射した光は、外部から視認されうる。揺動部１０が反射した光は、フィッシュイーターにアピールする。このルアー２では、高いヒット率が期待できる。
【００３８】
このルアー２の揺動部１０は、バネ１２で吊り棒８に掛けられている。釣り人がルアー２を引いたとき、水や潮の流れが速いとき等のルアー２の動作状態において、このバネ１２により揺動部１０は前後上下左右に揺れ動く。この揺動部１０の動きにより、光の反射の状態が変化する。揺動部１０が放つ光の見え方が変化する。揺動部１０は、瞬いているように見える。これは、フィッシュイーターに効果的にアピールする。このルアー２では、高いヒット率が期待できる。
【００３９】
このルアー２の揺動部１０は、バネ１２で吊り棒８に掛けられている。釣り人がルアー２を引くのを止めたとき、水や潮の流れが止まったとき等の、ルアー２が動作状態から停止状態となったときも、このバネ１２はしばらく動く。この揺動部１０は、ルアー２が動作状態から停止状態となったときも、しばらく前後上下左右に揺れ動く。このときも、揺動部１０は瞬いているように見える。この揺動部１０は、ルアー２が停止状態となった後も、しばらくフィッシュイーターに効果的にアピールする。このルアー２では、高いヒット率が期待できる。
【００４０】
バネ１２の強さは、このバネ１２に吊り下げられる揺動部１０の重さにより、調節される。バネ１２が強いと、揺動部１０を吊り下げても、バネ１２はほとんど伸びない。バネ１２が弱いと、揺動部１０を吊り下げたとき、バネ１２は伸びきった状態となる。いずれも上下振動が起きにくく、また振動が継続する時間も短くなる。バネ１２の強さは、振動が大きくかつ振動が長く継続するように、適切に調節される。これにより、このルアー２では、高いヒット率が期待できる。
【００４１】
この実施形態では、空洞１８内の気圧は、大気圧と同等である。このルアー２は、容易に安価に製造できる。前述のとおり、空洞１８内の気圧が、通常の大気圧と比べて減圧されていてもよい。このとき、この空洞１８内は真空である。このルアー２では、揺動部１０は、空気抵抗を受けにくい。空洞１８内が減圧されていない場合と比べて、この揺動部１０は揺れやすい。空洞１８内が減圧されていない場合と比べて、この揺動部１０は、ルアー２が動作状態から停止状態となった後も、より長い時間振動することができる。この揺動部１０は、ルアー２が停止状態となった後も、フィッシュイーターに効果的にアピールする。このルアー２では、高いヒット率が期待できる。
【００４２】
上記のとおり、揺動部１０は、ルアー２が動作状態から停止状態となったときも、しばらく前後上下左右に揺れ動く。このルアー２が振動する時間は、３秒以上が好ましく、５秒以上がより好ましく、１０秒以上がさらに好ましい。
【００４３】
前述のとおり、揺動部１０は板状を呈しており、この揺動部１０が前後方向に延びるように取り付けられているのが好ましい。このようにすることで、ルアー２の側面からこの揺動部１０は視認し易い。揺動部１０が反射した光は、効果的にフィッシュイーターにアピールする。このルアー２では、高いヒット率が期待できる。
【００４４】
［第二の実施形態］
【００４５】
図５は、本発明の他の実施形態に係るルアー３０が示された図である。この図は、ルアー３０を左右の部分に分割したときの右側部分が示された分解図である。図５では、分かり易いように、ルアー３０の左半分を取り付けたときこの左半分と接触する部分には、ハッチがかけられている。図５において、矢印Ｘが示す方向がこのルアー３０の前方であり、その反対がルアー３０の後方である。矢印Ｚが示す方向がこのルアー３０の上方であり、その反対がルアー３０の下方である。紙面と垂直な方向がこのルアー３０の左右方向である。このルアー３０は、ボディ３２、バネ３４及び揺動部３６を備えている。
【００４６】
ボディ３２は、硬質な材料から形成されている。典型的には、ボディ３２は、合成樹脂組成物から形成されている。ボディ３２が、エラストマーのような軟質な材料から形成されてもよい。ボディ３２は、内部に空洞３８を備える。このボディ３２は、この空洞３８に光を通す程度に透明性を有する。このボディ３２では、この内部からの光が外部から視認できる。空洞３８内の気圧は、大気圧と同等である。空洞３８内が、通常の大気圧と比べて減圧されていてもよい。
【００４７】
バネ３４は、空洞３８の内部に位置する。バネ３４は、前後方向に延びている。バネ３４の両端は、ボディ３２に固定されている。
【００４８】
揺動部３６は、空洞３８の内部に位置する。揺動部３６は、板状を呈する。図示されないが、複数の揺動部３６が、前後方向に並んでいる。揺動部３６は、前後方向に延びている。揺動部３６は、その延在方向が前後方向となるように、取り付けられている。
【００４９】
揺動部３６は、外部からの光を受けて光を放つ。この実施形態では、揺動部３６は、蛍光体である。この揺動部３６の表面には、蛍光塗料が塗られている。揺動部３６の表面に、着色や模様が施されてもよい。揺動部３６は、典型的には合成樹脂組成物から形成されている。揺動部３６が、金属から形成されていてもよい。揺動部３６が、反射体であってもよい。
【００５０】
揺動部３６は、上端部が膨らんでいる。揺動部３６には、この膨らんだ部分に、その延在方向に貫通する取付孔４０が設けられている。取付孔４０には、バネ３４が通されている。これにより、揺動部３６はバネ３４に吊り下げられている。バネ３４が振動することで、揺動部３６は、ボディ３２に対して振動しうる。揺動部３６は、このバネ３４により前後上下左右に揺れることができる。揺動部３６は、このバネ３４によりボディ３２に対して可動となっている。揺動部３６は、バネ３４を介して、ボディ３２に可動に取り付けられている。
【００５１】
取付孔４０が設けられる位置は、揺動部３６の中央部であってもよい。バネ３４は、揺動部３６の中央に位置する取付孔４０に通される。取付孔４０が設けられる位置が、揺動部３６の上端と中央部との間であってもよい。
【００５２】
本発明に係るルアー３０は、ボディ３２の空洞３８内に、外部からの光を受けて光を放つ揺動部３６を備える。この揺動部３６は、蛍光体である。ボディ３２は空洞３８内に光を通す程度に透明性を有する。揺動部３６から放たれた光は外部から視認されうる。揺動部３６からの光は、フィッシュイーターにアピールする。このルアー３０では、高いヒット率が期待できる。
【００５３】
このルアー３０の揺動部３６は、前後方向に延び両端がボディ３２に固定されたバネ３４に、吊り下げられている。この揺動部３６は、ボディ３２に対して上下前後左右に揺れることができる。釣り人がルアー３０を引いたとき、水や潮の流れが速いとき等のルアー３０の動作状態において、揺動部３６は上下前後左右に揺れる。この揺動部３６の動きにより、揺動部３６が放つ光の見え方が変化する。揺動部３６は、瞬いているように見える。これは、フィッシュイーターに効果的にアピールする。このルアー３０では、高いヒット率が期待できる。
【００５４】
このルアー３０の揺動部３６は、釣り人がルアー３０を引くのを止めたとき、水や潮の流れが止まったとき等の、ルアー３０が動作状態から停止状態となったときも、バネ３４によりしばらく動く。この揺動部３６は、ルアー３０が動作状態から停止状態となったときも、しばらく前後上下左右に揺れ動く。このときも、揺動部３６は瞬いているように見える。この揺動部３６は、ルアー３０が停止状態となった後も、しばらくフィッシュイーターに効果的にアピールする。このルアー３０では、高いヒット率が期待できる。
【００５５】
［第三の実施形態］
【００５６】
図６は、本発明の他の実施形態に係るルアー５０が示された斜視図である。図６において、矢印Ｘが示す方向がこのルアー５０の前方であり、その反対がルアー５０の後方である。矢印Ｙが示す方向がこのルアー５０の左方であり、その反対がルアー５０の右方である。矢印Ｚが示す方向がこのルアー５０の上方であり、その反対がルアー５０の下方である。
【００５７】
図６は、ルアー５０を左右の部分に分割したときの右側部分が示された分解図である。この図は、ルアー５０の左半分を取り外した図である。この図では、分かり易いように、ルアー５０の左半分を取り付けたときこの左半分と接触する部分には、ハッチがかけられている。この図では、ルアー５０の前側の部分が示されている。このルアー５０は、ボディ５２、吊り棒５４、揺動部５６を備えている。
【００５８】
ボディ５２は、硬質な材料から形成されている。典型的には、ボディ５２は、合成樹脂組成物から形成されている。ボディ５２が、エラストマーのような軟質な材料から形成されてもよい。ボディ５２は、内部に空洞５８を備える。このボディ５２は、この空洞５８に光を通す程度に透明性を有する。このボディ５２では、この内部からの光が外部から視認できる。空洞５８内の気圧は、大気圧と同等である。空洞５８内が、通常の大気圧と比べて減圧されていてもよい。
【００５９】
吊り棒５４は、ボディ５２の空洞５８の中に位置する。図６で示されるように、左右方向に延びる複数の吊り棒５４が、前後方向に並べられている。それぞれの吊り棒５４は、棒状である。吊り棒５４は、その右端が、ボディ５２に固定されている。図６では、吊り棒５４は途中までしか描かれていないが、吊り棒５４の左端も、ボディ５２に固定されている。吊り棒５４は、典型的には合成樹脂組成物から形成されている。
【００６０】
揺動部５６は、空洞５８の内部に位置する。図６に示されるように、揺動部５６は板状である。複数の揺動部５６が、前後方向に並んでいる。揺動部５６は、前後方向に延びている。揺動部５６は、その延在方向が前後方向となるように、取り付けられている。
【００６１】
揺動部５６は、外部からの光を受けて光を放つ。この実施形態では、揺動部５６は、反射体である。すなわち、揺動部５６の表面は光を反射する。揺動部５６の表面は、光沢を有する。揺動部５６の表面に、着色や模様が施されてもよい。揺動部５６は、典型的には合成樹脂組成物から形成されている。揺動部５６が金属から形成されていてもよい。典型的な揺動部５６として、ホロプレートが例示される。
【００６２】
図６に示されるように、それぞれの揺動部５６は取付孔６０を備えている。取付孔６０は、この揺動部５６の厚み方向に、この揺動部５６を貫通している。取付孔６０には、吊り棒５４が通されている。これにより、揺動部５６は吊り棒５４に掛けられている。図で示されるように、取付孔６０の内径は、吊り棒５４の外径より大きい。この揺動部５６は、吊り棒５４に対して振動しうる。この揺動部５６は、吊り棒５４に対して左右に揺れることができる。揺動部５６は、吊り棒５４を介して、ボディ５２に可動に取り付けられている。
【００６３】
本発明に係るルアー５０は、ボディ５２の空洞５８内に、外部からの光を受けて光を放つ揺動部５６を備える。この揺動部５６は、反射体である。揺動部５６の表面は、光を反射する。ボディ５２は空洞５８内に光を通す程度に透明性を有する。揺動部５６が反射した光は、外部から視認されうる。揺動部５６が反射した光は、フィッシュイーターにアピールする。このルアー５０では、高いヒット率が期待できる。
【００６４】
このルアー５０の揺動部５６は、吊り棒５４に掛けられている。この揺動部５６は、吊り棒５４に対して左右に揺れることができる。釣り人がルアー５０を引いたとき、水や潮の流れが速いとき等のルアー５０の動作状態において、揺動部５６は左右に揺れる。この揺動部５６の動きにより、光の反射の状態が変化する。揺動部５６が放つ光の見え方が変化する。揺動部５６は、瞬いているように見える。これは、フィッシュイーターに効果的にアピールする。このルアー５０では、高いヒット率が期待できる。
【００６５】
このルアー５０の揺動部５６は、釣り人がルアー５０を引くのを止めたとき、水や潮の流れが止まったとき等の、ルアー５０が動作状態から停止状態となったときも、しばらく振動する。このときも、揺動部５６は瞬いているように見える。この揺動部５６は、ルアー５０が停止状態となった後も、しばらくフィッシュイーターに効果的にアピールする。このルアー５０では、高いヒット率が期待できる。
【００６６】
［第四の実施形態］
【００６７】
図７は、本発明のさらに他の実施形態に係るルアー７０の、揺動部７２及び吊り棒７４が示された斜視図である。図７において、矢印Ｘが示す方向がこのルアー７０の前方であり、その反対がルアー７０の後方である。矢印Ｙが示す方向がこのルアー７０の左方であり、その反対がルアー７０の右方である。矢印Ｚが示す方向がこのルアー７０の上方であり、その反対がルアー７０の下方である。図示されないが、このルアー７０は、ボディをさらに備える。
【００６８】
ボディは、硬質な材料から形成されている。典型的には、ボディは、合成樹脂組成物から形成されている。ボディが、エラストマーのような軟質な材料から形成されてもよい。ボディは、内部に空洞を備える。このボディは、この空洞に光を通す程度に透明性を有する。このボディでは、この内部からの光が外部から視認できる。空洞内の気圧は、大気圧と同等である。空洞内が、通常の大気圧と比べて減圧されていてもよい。
【００６９】
吊り棒７４は、ボディの空洞の中に位置する。吊り棒７４は、この空洞に上面に沿って、前後方向に延びている。吊り棒７４は、棒状である。吊り棒７４は、その前端と後端とが、ボディに固定されている。
【００７０】
揺動部７２は、空洞の内部に位置する。図示されないが、複数の揺動部７２が、前後方向に並んでいる。図７に示されるように、揺動部７２は、上端部７６と下端部７８とが膨らんだ板状を呈する。揺動部７２は、前後方向に延びている。揺動部７２は、その延在方向が前後方向となるように取り付けられている。
【００７１】
揺動部７２は、外部からの光を受けて光を放つ。この実施形態では、揺動部７２は、反射体である。揺動部７２の表面は光を反射する。揺動部７２の表面は、光沢を有する。揺動部７２の表面に、着色や模様が施されてもよい。揺動部７２の材質は、吊り棒７４との摩擦が小さいものが選ばれる。揺動部７２は、典型的には合成樹脂組成物から形成されている。揺動部７２が、金属から形成されていてもよい。典型的な揺動部７２として、ホロプレートが例示される。
【００７２】
図８は、図７の揺動部７２をVIII−VIII線に沿って切った断面斜視図である。これは、揺動部７２をその厚み方向の中央において、その延在方向に切った断面である。図７及び８に示されるように、上端部７６には、その延在方向に貫通する取付孔８０が設けられている。揺動部７２には、その延在方向に貫通する取付孔８０が設けられている。図８に示されるように、この断面において、取付孔８０の上面は、下側に向けてテーパー状に突出している。取付孔８０の上面は、下向きに突出した頂部８２を有している。
【００７３】
吊り棒７４は、取付孔８０に通される。これにより、揺動部７２は吊り棒７４に掛けられている。図７及び８で示されるように、取付孔８０の内径は、吊り棒７４の外径より大きい。この揺動部７２では、吊り棒７４は、取付孔８０の頂部８２と当接している。揺動部７２は、この頂部８２を基点に振動しうる。揺動部７２は、この頂部８２を基点に、上下方向軸に対する回転方向、左右方向軸に対する回転方向及び前後方向軸に対する回転方向に、揺れることができる。揺動部７２は、吊り棒７４を介して、ボディに可動に取り付けられている。
【００７４】
図７及び８に示されるように、揺動部７２の下端部７８には、前後方向に貫通する格納孔８４が設けられている。図示されないが、ボディのバランスをとるための錘を、この格納孔８４に収容することができる。
【００７５】
本発明に係るルアー７０は、ボディの空洞内に、外部からの光を受けて光を放つ揺動部７２を備える。この揺動部７２は、反射体である。揺動部７２の表面は、光を反射する。ボディは空洞内に光を通す程度に透明性を有する。揺動部７２が反射した光は、外部から視認されうる。揺動部７２が反射した光は、フィッシュイーターにアピールする。このルアー７０では、高いヒット率が期待できる。
【００７６】
このルアー７０の揺動部７２は、吊り棒７４に掛けられている。釣り人がルアー７０を引いたとき、水や潮の流れが速いとき等のルアー７０の動作状態において、揺動部７２は振動する。この揺動部７２は、取付孔８０の頂部８２を基点に、上下方向軸に対する回転方向、左右方向軸に対する回転方向及び前後方向軸に対する回転方向に、揺れ動く。この揺動部７２の動きにより、光の反射の状態が効果的に変化する。揺動部７２は、瞬いているように見える。これは、フィッシュイーターに効果的にアピールする。このルアー７０では、高いヒット率が期待できる。
【００７７】
このルアー７０の揺動部７２は、釣り人がルアー７０を引くのを止めたとき、水や潮の流れが止まったとき等の、ルアー７０が動作状態から停止状態となったときも、しばらく上下方向軸に対する回転方向、左右方向軸に対する回転方向及び前後方向軸に対する回転方向に、揺れ動く。このときも、揺動部７２は瞬いているように見える。この揺動部７２は、ルアー７０が停止状態となった後も、しばらくフィッシュイーターに効果的にアピールする。このルアー７０では、高いヒット率が期待できる。
【００７８】
前述のとおり、この揺動部７２は、上端部７６が膨らんだ板状を呈する。この揺動部７２は、この膨らんだ部分も光を反射する。このルアー７０では、上面側からもこの揺動部７２は視認し易い。上面側から揺動部７２が反射した光は、効果的にフィッシュイーターにアピールする。このルアー７０では、高いヒット率が期待できる。
【００７９】
前述のとおり、この揺動部７２では、下端の膨らんだ部分には、前後方向に貫通する格納孔８４が設けられている。姿勢の調整に使用する錘は、この格納孔８４に位置させることができる。このルアー７０では、錘は外部から見えない。このルアー７０は外観に優れる。
【００８０】
［第五の実施形態］
【００８１】
図９は、本発明のさらに他の実施形態に係るルアー９０の、揺動部９２、吊り棒９４及び錘９６が示された斜視図である。図９において、矢印Ｘが示す方向がこのルアー９０の前方であり、その反対がルアー９０の後方である。矢印Ｙが示す方向がこのルアー９０左方であり、その反対がルアー９０の右方である。矢印Ｚが示す方向がこのルアー９０の上方であり、その反対がルアー９０の下方である。図示されないが、このルアー９０は、ボディをさらに備える。
【００８２】
ボディは、硬質な材料から形成されている。典型的には、ボディは、合成樹脂組成物から形成されている。ボディが、エラストマーのような軟質な材料から形成されてもよい。ボディは、内部に空洞を備える。このボディは、この空洞に光を通す程度に透明性を有する。このボディでは、この内部からの光が外部から視認できる。空洞内の気圧は、大気圧と同等である。空洞内が、通常の大気圧と比べて減圧されていてもよい。
【００８３】
揺動部９２は、空洞の内部に位置する。図示されないが、複数の揺動部９２が、前後方向に並んでいる。図９に示されるように、揺動部９２は、板状の本体９８とリング１００とを備える。この実施形態では、揺動部９２は２つのリング１００を備える。本体９８は、前後方向に延びている。本体９８は、２つの取付孔１０２を備えている。それぞれの取付孔１０２は、この本体９８の厚み方向に、この本体９８を貫通している。それぞれのリング１００は、本体９８の対応する取付孔１０２に通されている。リング１００及び取付孔１０２の数は、それぞれ１でもよく、３以上でもよい。
【００８４】
本体９８は、外部からの光を受けて光を放つ。この実施形態では、本体９８は、反射体である。本体９８の表面は、光を反射する。本体９８の表面は、光沢を有する。本体９８の表面に、着色や模様が施されてもよい。本体９８は、典型的には合成樹脂組成物から形成されている。本体９８が、金属から形成されていてもよい。典型的な本体９８として、ホロプレートが例示される。
【００８５】
吊り棒９４は、ボディの空洞の中に位置する。図示されないが、吊り棒９４は、この空洞に上面に沿って、前後方向に延びている。吊り棒９４は、その前端と後端とが、ボディに固定されている。吊り棒９４の上辺１０４は、尖っている。この吊り棒９４では、上辺１０４がナイフエッジ状である。
【００８６】
吊り棒９４は、リング１００に通される。これにより、揺動部９２は吊り棒９４に掛けられている。吊り棒９４のナイフエッジ状の部分は、リング１００と接触する。揺動部９２は、吊り棒９４のナイフエッジ状の部分と接触するように、吊り棒９４に掛けられている。この揺動部９２のリング１００は、吊り棒９４に対して左右に揺れることができる。この揺動部９２のリング１００は、吊り棒９４に対して、前後に揺れることができる。この揺動部９２は、吊り棒９４に対して、前後左右に揺れることができる。揺動部９２は、吊り棒９４を介して、ボディに可動に取り付けられている。
【００８７】
図９に示されるように、揺動部９２の下端部には、前後方向に貫通する格納孔１０６が設けられている。錘９６は、この格納孔１０６に収容されている。錘９６は、ルアー９０が適切な姿勢となるように、ボディのバランスをとる。
【００８８】
本発明に係るルアー９０は、ボディの空洞内に、外部からの光を受けて光を放つ揺動部９２を備える。この揺動部９２は、反射体である。揺動部９２の本体９８の表面は、光を反射する。ボディは空洞内に光を通す程度に透明性を有する。揺動部９２が反射した光は、外部から視認されうる。揺動部９２が反射した光は、フィッシュイーターにアピールする。このルアー９０では、高いヒット率が期待できる。
【００８９】
このルアー９０の揺動部９２は、吊り棒９４のナイフエッジ状の上辺１０４と接触するように、吊り棒９４に掛けられている。ナイフエッジ状である上辺１０４は幅が狭いため、揺動部９２のリング１００は、吊り棒９４に対して左右に揺れ易い。さらに揺動部９２のリング１００は、吊り棒９４に対して前後にも揺れることができる。釣り人がルアー９０を引いたとき、水や潮の流れが速いとき等のルアー９０の動作状態において、揺動部９２は振動する。この揺動部９２の動きにより、光の反射の状態が効果的に変化する。揺動部９２は、瞬いているように見える。これは、フィッシュイーターに効果的にアピールする。
【００９０】
このルアー９０の揺動部９２は、釣り人がルアー９０を引くのを止めたとき、水や潮の流れが止まったとき等の、ルアー９０が動作状態から停止状態となったときも、しばらく前後左右方向に、揺れ動く。このときも、揺動部９２は瞬いているように見える。この揺動部９２は、ルアー９０が停止状態となった後も、しばらくフィッシュイーターに効果的にアピールする。このルアー９０では、高いヒット率が期待できる。
【００９１】
本体９８の取付孔１０２の内周面１０８が、ナイフエッジ状であってもよい。この本体９８は、リング１００に対して左右に揺れやすい。リング１００の内周面１１０が、ナイフエッジ状であってもよい。このリング１００は、吊り棒９４に対して前後に揺れやすく、本体９８は、このリング１００に対して、前後に揺れやすい。この揺動部９２は、フィッシュイーターに効果的にアピールする。このルアー９０では、高いヒット率が期待できる。
【００９２】
［第六の実施形態］
【００９３】
図１０は、本発明のさらに他の実施形態に係るルアー１２０の、揺動部１２２、吊り具１２４及び錘１２６が示された斜視図である。図１０において、矢印Ｘが示す方向がこのルアー１２０の前方であり、その反対がルアー１２０の後方である。矢印Ｙが示す方向がこのルアー１２０の左方であり、その反対がルアー１２０の右方である。矢印Ｚが示す方向がこのルアー１２０の上方であり、その反対がルアー１２０の下方である。図示されないが、このルアー１２０は、ボディをさらに備える。
【００９４】
ボディは、硬質な材料から形成されている。典型的には、ボディは、合成樹脂組成物から形成されている。ボディが、エラストマーのような軟質な材料から形成されてもよい。ボディは、内部に空洞を備える。このボディは、この空洞に光を通す程度に透明性を有する。このボディでは、この内部からの光が外部から視認できる。空洞内の気圧は、大気圧と同等である。空洞内が、通常の大気圧と比べて減圧されていてもよい。
【００９５】
揺動部１２２は、空洞の内部に位置する。図示されないが、複数の揺動部１２２が、前後方向に並んでいる。揺動部１２２は、板状である。揺動部１２２は、前後方向に延びている。図１０に示されるように、揺動部１２２は、取付孔１２８を備えている。この実施形態では、揺動部１２２は、２つの取付孔１２８を備えている。それぞれの取付孔１２８は、この揺動部１２２の厚み方向に、この揺動部１２２を貫通している。
【００９６】
揺動部１２２は、外部からの光を受けて光を放つ。この実施形態では、揺動部１２２は、反射体である。揺動部１２２の表面は、光を反射する。揺動部１２２の表面は、光沢を有する。揺動部１２２の表面に、着色や模様が施されてもよい。揺動部１２２の材質は、吊り具１２４との摩擦が小さいものが選ばれる。揺動部１２２は、典型的には合成樹脂組成物から形成されている。揺動部１２２が、金属から形成されていてもよい。典型的な揺動部１２２として、ホロプレートが例示される。
【００９７】
吊り具１２４は、ボディの空洞の中に位置する。この実施形態では、二つの吊り具１２４が存在する。それぞれの吊り具１２４は、左右方向に延びている。吊り具１２４の中央部分は、下方向に湾曲している。換言すれば、吊り具１２４は、中央に位置する湾曲部１３０と、湾曲部１３０の両側に位置する一対の直線部１３２を備える。吊り具１２４の両端は、ボディに取り付けられている。吊り具１２４は、直線部１３２の軸の周りに回転可能である。すなわち、吊り具１２４の湾曲部１３０は、前後方向に揺れ動きうる。吊り具１２４は、ボディに対して揺れ動きうる。
【００９８】
それぞれの吊り具１２４は、対応する取付孔１２８に通される。これにより、揺動部１２２は、吊り具１２４に吊されている。揺動部１２２は、湾曲部１３０の底に吊されている。揺動部１２２は、湾曲部１３０とともに前後に揺れることができる。さらに揺動部１２２は、吊り具１２４に対して左右方向に揺れることができる。この揺動部１２２は、ボディに対して前後左右に揺れることができる。揺動部１２２は、吊り具１２４を介して、ボディに可動に取り付けられている。
【００９９】
吊り具１２４の数及び取付孔１２８の数は、それぞれ１でもよい。吊り具１２４の数及び取付孔１２８の数は、それぞれ３以上であってもよい。
【０１００】
図示されないが、吊り具がボディに対して左右方向に揺れることができるようになっており、揺動部が、この吊り具に吊されていてもよい。
【０１０１】
図１０に示されるように、揺動部１２２の下端部には、前後方向に貫通する格納孔１３４が設けられている。錘１２６は、この格納孔１３４に収容されている。錘１２６は、ルアー１２０が適切な姿勢となるように、ボディのバランスをとる。
【０１０２】
本発明に係るルアー１２０は、ボディの空洞内に、外部からの光を受けて光を放つ揺動部１２２を備える。この揺動部１２２は、反射体である。揺動部１２２の表面は、光を反射する。ボディは空洞内に光を通す程度に透明性を有する。揺動部１２２が反射した光は、外部から視認されうる。揺動部１２２が反射した光は、フィッシュイーターにアピールする。このルアー１２０では、高いヒット率が期待できる。
【０１０３】
このルアー１２０の揺動部１２２は、吊り具１２４の湾曲部１３０の底に掛けられている。この吊り具１２４の湾曲部１３０は、前後方向に揺れることができる。この揺動部１２２は、湾曲部１３０とともにボディに対して前後に揺れることができる。さらに揺動部１２２は、吊り具１２４に対して左右に揺れることができる。釣り人がルアー１２０を引いたとき、水や潮の流れが速いとき等のルアー１２０の動作状態において、揺動部１２２は振動する。この揺動部１２２の動きにより、光の反射の状態が効果的に変化する。揺動部１２２は、瞬いているように見える。これは、フィッシュイーターに効果的にアピールする。
【０１０４】
このルアー１２０の揺動部１２２は、釣り人がルアー１２０を引くのを止めたとき、水や潮の流れが止まったとき等の、ルアー１２０が動作状態から停止状態となったときも、しばらく前後左右方向に、揺れ動く。このときも、揺動部１２２は瞬いているように見える。この揺動部１２２は、ルアー１２０が停止状態となった後も、しばらくフィッシュイーターに効果的にアピールする。このルアー１２０では、高いヒット率が期待できる。
【０１０５】
［第七の実施形態］
【０１０６】
図１１は、本発明のさらに他の実施形態に係るルアー１４０の、揺動部１４２、吊り棒１４４、磁石１４６及び錘１４８が示された斜視図である。図１１において、矢印Ｘが示す方向がこのルアー１４０の前方であり、その反対がルアー１４０の後方である。矢印Ｚが示す方向がこのルアー１４０の上方であり、その反対がルアー１４０の下方である。図示されないが、このルアー１４０は、ボディをさらに備える。
【０１０７】
ボディは、硬質な材料から形成されている。典型的には、ボディは、合成樹脂組成物から形成されている。ボディが、エラストマーのような軟質な材料から形成されてもよい。ボディは、内部に空洞を備える。このボディは、この空洞に光を通す程度に透明性を有する。このボディでは、この内部からの光が外部から視認できる。空洞内の気圧は、大気圧と同等である。空洞内が、通常の大気圧と比べて減圧されていてもよい。
【０１０８】
揺動部１４２は、空洞の内部に位置する。図示されないが、複数の揺動部１４２が、前後方向に並んでいる。図１１に示されるように、揺動部１４２は、板状の本体１５０と取付金具１５２とを備える。本体１５０は、前後方向に延びている。取付金具１５２は、本体１５０の上部に固定されている。この実施形態では、２つの取付金具１５２が、本体１５０の上部に固定されている。取付金具１５２は、金属よりなる。典型的な取付金具１５２の材質は、スチール及びアルミニウム合金である。
【０１０９】
本体１５０は、外部からの光を受けて光を放つ。この実施形態では、本体１５０は、反射体である。本体１５０の表面は、光を反射する。本体１５０の表面は、光沢を有する。本体１５０の表面に、着色や模様が施されてもよい。本体１５０は、典型的には合成樹脂組成物から形成されている。典型的な本体１５０として、ホロプレートが例示される。
【０１１０】
吊り棒１４４は、ボディの空洞の中に位置する。図示されないが、吊り棒１４４は、この空洞に上面に沿って、前後方向に延びている。吊り棒１４４は、その前端と後端とが、ボディに固定されている。この実施形態では、吊り棒１４４は、角柱である。吊り棒１４４の断面は、四角形である。
【０１１１】
磁石１４６は、吊り棒１４４に固定されている。磁石１４６は、吊り棒１４４の底面に固定されている。この実施は形態では、２つの磁石１４６が吊り棒１４４に固定されている。これらの磁石１４６間の距離は、揺動部１４２の取付金具１５２間の距離と等しい。それぞれの磁石１４６の下面は、下側に凸な半球状である。
【０１１２】
揺動部１４２のそれぞれの取付金具１５２は、対応する磁石１４６に磁着されている。これにより、揺動部１４２は、吊り棒１４４に吊り下げられている。この揺動部１４２は、磁石１４６に対して前後左右に揺れることができる。この揺動部１４２は、ボディに対して、前後左右に揺れることができる。揺動部１４２は、吊り棒１４４及び磁石１４６を介して、ボディに可動に取り付けられている。
【０１１３】
このルアー１４０は、吊り棒１４４を備えなくてもよい。磁石１４６が、直接ボディの空洞の上面に固定されてもよい。揺動部１４２が、磁石１４６を介してボディに可動に取り付けられていればよい。
【０１１４】
このルアー１４０では、磁石１４６の数及び取付金具１５２の数は、それぞれ１でもよい。このとき、取付金具１５２は、本体１５０の前後方向の中心に位置する。揺動部１４２は、一つの磁石１４６により、ボディに取り付けられる。この揺動部１４２は、磁石１４６に対して、前後左右に揺れることができる。揺動部１４２は、磁石１４６を介してボディに可動に取り付けられている。磁石１４６の数及び取付金具１５２の数は、それぞれ３以上でもよい。
【０１１５】
図１１に示されるように、揺動部１４２の下端部には、前後方向に貫通する格納孔１５４が設けられている。錘１４８は、この格納孔１５４に収容されている。錘１４８は、ルアー１４０が適切な姿勢となるように、ボディのバランスをとる。
【０１１６】
本発明に係るルアー１４０は、ボディの空洞内に、外部からの光を受けて光を放つ揺動部１４２を備える。この揺動部１４２の本体１５０は、反射体である。揺動部１４２の本体１５０の表面は、光を反射する。ボディは空洞内に光を通す程度に透明性を有する。揺動部１４２が反射した光は、外部から視認されうる。揺動部１４２が反射した光は、フィッシュイーターにアピールする。このルアー１４０では、高いヒット率が期待できる。
【０１１７】
このルアー１４０の揺動部１４２では、その取付金具１５２が、磁石１４６の下面に磁着されている。磁石１４６の下面は、半球状である。この揺動部１４２は、磁石１４６に対して、前後左右に揺れることができる。釣り人がルアー１４０を引いたとき、水や潮の流れが速いとき等のルアー１４０の動作状態において、揺動部１４２は振動する。この揺動部１４２の動きにより、光の反射の状態が効果的に変化する。揺動部１４２は、瞬いているように見える。これは、フィッシュイーターに効果的にアピールする。
【０１１８】
このルアー１４０の揺動部１４２は、釣り人がルアー１４０を引くのを止めたとき、水や潮の流れが止まったとき等の、ルアー１４０が動作状態から停止状態となったときも、しばらく前後左右方向に、揺れ動く。このときも、揺動部１４２は瞬いているように見える。この揺動部１４２は、ルアー１４０が停止状態となった後も、しばらくフィッシュイーターに効果的にアピールする。このルアー１４０では、高いヒット率が期待できる。
【０１１９】
［その他の実施形態］
【０１２０】
揺動部をボディに可動に取り付ける方法は、上述の実施形態に限られない。例えば、揺動部が、ゴムを介してボディに取り付けられてもよい。揺動部が、ヒンジを介してボディに取り付けられてもよい。揺動部が、自在継手を介してボディに取り付けられてもよい。ルアーが動作状態から停止状態となった後もしばらく揺動部がボディに対して動くように、揺動部がボディに取り付けられていればよい。
【０１２１】
以上では、魚用のルアーでの実施形態を挙げて、本発明が説明された。ここでは挙げられていないが、本発明は、エギ等の、魚以外の魚介類用のルアーにも適用できる。
【０１２２】
以上説明されたように、本発明に係るルアーは、効果的にフィッシュイーターにアピールできる。このルアーは、動作状態から停止状態となった後もフィッシュイーターにアピールできる。このことから本発明の優位性は明らかである。
【産業上の利用可能性】
【０１２３】
本発明に係るルアーは、湖沼、池、ダム、川、海等の種々のフィールドでの釣りに適している。
【符号の説明】
【０１２４】
２、３０、５０、７０、９０、１２０、１４０・・・ルアー
４、３２、５２・・・ボディ
６・・・リップ
８、５４、７４、９４、１４４・・・吊り棒
１０、３６、５６、７２、９２、１２２、１４２・・・揺動部
１２、３４・・・バネ
１４・・・ヘッド
１６・・・テール
１８、３８、５８・・・空洞
２０・・・切り欠き
２２、４０、６０、８０、１０２、１２８・・・取付孔
７６・・・上端部
７８・・・下端部
８２・・・頂部
８４、１０６、１３４、１５４・・・格納孔
９６、１２６、１４８・・・錘
９８、１５０・・・本体
１００・・・リング
１０４・・・吊り棒の上辺
１０８・・・取付孔の内周面
１１０・・・リングの内周面
１２４・・・吊り具
１３０・・・湾曲部
１３２・・・直線部
１４６・・・磁石
１５２・・・取付金具
【図１】
2019187246.tif 000003
【図２】
2019187246.tif 000004
【図３】
2019187246.tif 000005
【図４】
2019187246.tif 000006
【図５】
2019187246.tif 000007
【図６】
2019187246.tif 000008
【図７】
2019187246.tif 000009
【図８】
2019187246.tif 000010
【図９】
2019187246.tif 000011
【図１０】
2019187246.tif 000012
【図１１】
2019187246.tif 000013